(57)【要約】【課題】  装着された照明の特性を検出可能な点灯装置を提供する。【解決手段】  一実施形態に係る点灯装置は、コンバータと、特性検出部とを具備する。コンバータは、接続される照明に対して電圧を印加する。特性検出部は、前記コンバータから前記照明に印加される電圧と、前記照明を流れる電流と、に基づいて前記照明の特性を検出する。【選択図】      図１
2017062966.tif 000002
【特許請求の範囲】
【請求項１】
接続される照明に対して電圧を印加するコンバータと；
前記コンバータから前記照明に印加される電圧と、前記照明を流れる電流と、に基づいて前記照明の特性を検出する特性検出部と；
を具備する点灯装置。
【請求項２】
外部装置から指示される調光度に応じて前記コンバータの出力電圧を制御して前記コンバータから出力される電流の電流値を制御する調光部をさらに具備し、
前記特性検出部は、前記調光度と、前記照明を流れる電流と、に基づいて前記照明の調光度に対する点灯電流の特性である調光度電流特性を検出する請求項１に記載の点灯装置。
【請求項３】
前記照明に直列接続される検出抵抗をさらに具備し、
前記特性検出部は、前記調光部が所定の調光度で前記コンバータを制御する場合の前記検出抵抗に印加される電圧と、前記検出抵抗の抵抗値と、に基づいて、前記調光度電流特性を検出する請求項２に記載の点灯装置。
【請求項４】
前記照明において照明負荷に直列接続されている抵抗に定電流を流す定電流回路をさらに具備し、
前記特性検出部は、前記定電流の電流値と、前記抵抗に印加される電圧と、に基づいて、前記調光度電流特性を検出する請求項２に記載の点灯装置。
【請求項５】
前記特性検出部は、前記照明が前記コンバータに接続された場合、前記照明の特性の検出を指示する信号が外部装置から入力された場合、または前記コンバータに電力を供給する主電源がオンされた場合、前記照明の特性の検出を行う請求項１乃至４のいずれか１項に記載の点灯装置。
【請求項６】
前記コンバータから出力される電流を分流する分流回路をさらに具備し、
前記特性検出部は、前記調光度電流特性に基づいて、予め設定された電流値に応じた閾値調光度を算出し、
前記調光部は、前記外部装置から指示される調光度と、前記閾値調光度と、前記調光度電流特性と、に基づいて、前記分流回路により分流する電流の電流値を制御する請求項２乃至４に記載のいずれか１項に記載の点灯装置。
【発明の詳細な説明】
【技術分野】
【０００１】
本発明の実施形態は、点灯装置に関する。
【背景技術】
【０００２】
発光素子としてＬＥＤ（発光ダイオード）を有する着脱可能な照明が用いられた照明器具が一般的に実用化されている。このような照明器具の点灯装置には、点灯装置に装着された照明のＬＥＤに流れる電流を制御することによりＬＥＤの輝度を制御（調光）するものがある。
【先行技術文献】
【特許文献】
【０００３】
【特許文献１】特開２００７−１５４６８６号公報
【発明の概要】
【発明が解決しようとする課題】
【０００４】
上記した照明器具において点灯装置に装着された照明の調光を行う為に、調光度とＬＥＤに流れる電流とに係る照明の特性を認識する必要がある。しかし、照明が着脱可能に構成されている為、点灯装置に装着された照明の特性が不明であるという課題がある。
【０００５】
本発明の目的は、装着された照明の特性を検出可能な点灯装置を提供することである。
【課題を解決するための手段】
【０００６】
一実施形態に係る点灯装置は、コンバータと、特性検出部とを具備する。コンバータは、接続される照明に対して電圧を印加する。特性検出部は、前記コンバータから前記照明に印加される電圧と、前記照明を流れる電流と、に基づいて前記照明の特性を検出する。
【発明の効果】
【０００７】
本発明によれば、装着された照明の特性を検出可能な点灯装置を提供することができる。
【図面の簡単な説明】
【０００８】
【図１】図１は、一実施形態に係る照明システムの構成の例について説明する為の図である。
【図２】図２は、一実施形態に係る照明システムにおける電流値と調光度との関係について説明するための図である。
【図３】図３は、一実施形態に係る照明システムにおける電流値と調光度との関係について説明するための図である。
【図４】図４は、他の一実施形態に係る照明システムの構成の例について説明する為の図である。
【発明を実施するための形態】
【０００９】
以下で説明する実施形態に係る点灯装置２は、コンバータ回路２３と、演算部２６と、を有する。コンバータ回路２３は、接続される照明１に対して電圧を印加する。演算部２６は、コンバータ回路２３から照明１に印加される電圧と、照明１を流れる電流と、に基づいて照明１の特性を検出する。
【００１０】
また、以下で説明する実施形態に係る点灯装置２の演算部２６は、外部装置から指示される調光度に応じてコンバータ回路２３の出力電圧を制御してコンバータ回路２３から出力される電流の電流値を制御する。また、演算部２６は、調光度と、照明１を流れる電流と、に基づいて照明１の調光度に対する点灯電流の特性である調光度電流特性を検出する。
【００１１】
また、以下で説明する実施形態に係る点灯装置２は、照明１に直列接続される検出抵抗２５をさらに有する。演算部２６は、調光部が所定の調光度でコンバータ回路２３を制御する場合の検出抵抗２５に印加される電圧と、検出抵抗２５の抵抗値と、に基づいて、調光度電流特性を検出す。
【００１２】
また、以下で説明する実施形態に係る点灯装置２は、照明１において照明負荷１１に直列接続されている抵抗１２に定電流を流す定電流回路２８Ａをさらに有する。演算部２６は、定電流の電流値と、抵抗１２に印加される電圧と、に基づいて、調光度−電流特性を検出する。
【００１３】
また、以下で説明する実施形態に係る点灯装置２の演算部２６は、照明１がコンバータ回路２３に接続された場合、照明１の特性の検出を指示する信号が外部装置から入力された場合、またはコンバータ回路２３に電力を供給する主電源がオンされた場合、照明１の特性の検出を行う。
【００１４】
また、以下で説明する実施形態に係る点灯装置２は、コンバータ回路２３から出力される電流を分流する分流回路２７をさらに有する。演算部２６は、調光度電流特性に基づいて、予め設定された電流値に応じた閾値調光度を算出し、外部装置から指示される調光度と、閾値調光度と、調光度電流特性と、に基づいて、分流回路により分流する電流の電流値を制御する。
【００１５】
（第１の実施形態）
図１は、第１の実施形態に係る照明システム１００の構成例を示す図である。  
照明システム１００は、照明１と、交流電源Ｖａｃからの交流電圧を直流電圧に変換して照明１に出力する点灯装置２と、を備える。照明システム１００は、外部装置からの調光信号が示す調光度に基づいて照明１の輝度を調光する。調光度は、照明１の輝度の割合をパーセンテージで示すものである。照明システム１００は、例えば全光（調光度１００％である場合）に対して所定の調光度（例えば１％）未満の調光度に応じて照明１の輝度を調光する深調光を行う。即ち、深調光は、通常の調光範囲に比べて暗い微小な調光である。
【００１６】
照明１は、点灯装置２から供給される電流によって発光する発光素子を有するランプである。照明１は、点灯装置２と着脱可能に構成される。照明１は、照明負荷１１と、抵抗（電流検出抵抗）１２と、の直列接続を備える。
【００１７】
照明負荷１１は、点灯装置２が出力する電圧によって生じる電流により点灯する。照明負荷１１は、例えば、発光ダイオード（ＬＥＤ）である。照明１が点灯装置２に装着された場合、照明負荷１１のアノードは、コンバータ回路２３の出力端子に接続される。
【００１８】
抵抗１２は、点灯装置２による照明負荷１１を流れる電流の検知に用いられる。抵抗１２の一方の端子は、照明負荷１１のカソードに接続される。照明１が点灯装置２に装着された場合、抵抗１２の他方の端子は、後述する点灯装置２の抵抗２５を介して接地される。
【００１９】
点灯装置２は、交流電源Ｖａｃから供給される交流電圧を直流電圧に変換する。例えば、交流電圧は、１００Ｖ、５０Ｈｚ又は６０Ｈｚである。点灯装置２は、外部装置からの調光信号に基づいて決定される電流値の電流が照明負荷１１に流れるように直流電圧を変換して出力する。
【００２０】
図１に示されるように、点灯装置２は、整流回路２１、ＰＦＣ回路２２、コンバータ回路２３、制御部２４、抵抗（特性検出抵抗）２５、演算部２６、分流回路２７などを備える。
【００２１】
整流回路２１は、交流電源Ｖａｃに接続される。また、整流回路２１は、ＰＦＣ回路２２に接続される。整流回路２１は、交流電源Ｖａｃから供給された交流電圧を整流した直流電圧をＰＦＣ回路２２へ出力する。
【００２２】
ＰＦＣ（ｐｏｗｅｒ  ｆａｃｔｏｒ  ｃｏｒｒｅｃｔｉｏｎ）回路２２は、コンバータ回路２３と接続される。また、ＰＦＣ回路２２は、制御部２４と接続される。ＰＦＣ回路２２は、例えば昇圧回路である。ＰＦＣ回路２２は、制御部２４からの制御信号に基づいて整流回路２１から出力された電圧を昇圧する。ＰＦＣ回路２２は、昇圧した電圧をコンバータ回路２３へ出力する。
【００２３】
コンバータ回路２３は、照明負荷１１のアノードに接続される。また、コンバータ回路２３は、制御部２４、及び演算部２６に接続される。コンバータ回路２３は、例えば降圧回路である。コンバータ回路２３は、制御部２４からの制御信号に基づいてＰＦＣ回路２２から出力された電圧を降圧する。コンバータ回路２３は、降圧した電圧を照明１に印加することによって第１の電流ＩＦ１（以下ＩＦ１と称する）を出力する。また、コンバータ回路２３は、演算部２６からの信号に基づいて起動又は停止する。
【００２４】
制御部２４は、演算部２６に接続される。また、制御部２４は、照明１の照明負荷１１のカソードと抵抗１２の一方の端子との間に第１の検出ライン（電流検出ライン）を介して接続される。制御部２４は、演算部２６からの制御信号に基づいてＰＦＣ回路２２の動作及びコンバータ回路２３の動作を制御する。制御部２４は、第１の検出ラインの電位に基づいてＩＦ１の電流値を検知し、ＩＦ１の電流値が演算部２６からの制御信号に応じた電流値となるようにコンバータ回路２３を制御する。
【００２５】
制御部２４は、例えばオペアンプを備える。制御部２４は、演算部２６から入力された制御信号により指示される電圧をオペアンプの入力端子の一方に印加する。また、制御部２４は、オペアンプの入力端子の他方に電流検出ラインの電圧を印加する。制御部２４のオペアンプは、二つの入力端子に印加された電圧の差に応じた電圧を制御信号としてコンバータ回路２３に出力する。制御部２４は、コンバータ回路２３の降圧回路を構成する半導体スイッチを制御信号によってオンオフ動作させてコンバータ回路２３の出力電圧を制御することにより、ＩＦ１を演算部２６からの制御信号に応じた電流値に制御する。
【００２６】
抵抗２５は、演算部２６による照明１の特性の検出に用いられる。抵抗２５は、照明１が点灯装置２に装着される場合に照明１の抵抗１２とＧＮＤとの間に接続される。
【００２７】
演算部２６は、たとえば、プログラムを実行可能なプロセッサと、プログラムを記憶するメモリと、を備えるマイクロコンピュータなどから構成されてもよい。演算部２６は、点灯装置２に装着された照明１の特性を検出する。例えば、演算部２６は、照明１が点灯装置２に装着される場合に照明１の抵抗１２と抵抗２５との間に第２の検出ライン（特性検出ライン）を介して接続される。演算部２６は、第２の検出ラインの電位に応じて、照明１の調光度に対する照明負荷１１を流れる電流の電流値の関係を照明１の調光度−電流特性を検出する。この場合、演算部２６は、特性検出部として機能する。
【００２８】
また、演算部２６は、制御部２４、分流回路２７、及び外部装置に接続される。演算部２６は、外部装置からの調光信号に従って、制御部２４及び分流回路２７を制御する。例えば、演算部２６は、上記の調光度−電流特性に基づいて、調光信号が示す調光度に応じた輝度で照明負荷１１を発光させる為の電流の電流値を算出する。演算部２６は、算出した電流値の電流がコンバータ回路２３から出力されるように制御部２４によりコンバータ回路２３を制御させる。この場合、演算部２６は、調光部として機能する。演算部２６は、無線通信により外部装置から調光信号を受信する構成であってもよい。なお、演算部２６による調光度−電流特性の検出、制御部２４の制御、及び分流回路２７の制御については後述する。
【００２９】
分流回路２７は、コンバータ回路２３から出力されたＩＦ１から電流を分流回路２７に引きこむことによって、照明１に流れる電流（点灯電流）の電流値を調整する。分流回路２７は、コンバータ回路２３と照明負荷１１のアノードとの間に接続される。また、分流回路２７は、照明負荷１１のカソードと制御部２４との間に接続される。即ち、分流回路２７は、コンバータ回路２３と照明負荷１１のアノードとを接続する経路と、上記の第１の検出ラインと、の間に接続される。分流回路２７は、演算部２６からの制御信号に基づいて、コンバータ回路２３と照明負荷１１との間から電流を引き込む。即ち、分流回路２７は、コンバータ回路２３から流れるＩＦ１を、分流回路２７側と照明負荷１１側とに分流する。分流回路２７は、演算部２６からの制御信号に応じた電流値の第２の電流ＩＦ２（以下ＩＦ２と称する）を分流回路２７側に引きこむ。これにより、照明負荷１１にＩＦ１の電流値からＩＦ２の電流値が減算された第３の電流ＩＦ３（以下ＩＦ３と称する）が流れる。
【００３０】
図１が示すように、分流回路２７は、半導体スイッチ３１、抵抗３２、抵抗３３（電流制御抵抗）、オペアンプ３４、及びＲＣフィルタ３５などを備える。
【００３１】
半導体スイッチ３１は、ｎ型バイポーラトランジスタである。なお、半導体スイッチ３１は、如何なるもので構成されていてもよい。例えば、半導体スイッチ３１は、ｐ型バイポーラトランジスタ、ＭＯＳ−ＦＥＴ、またはＩＧＢＴなどによって構成されていてもよい。
【００３２】
半導体スイッチ３１のコレクタは、抵抗３２を介してコンバータ回路２３と照明負荷１１のアノードとの間に接続される。半導体スイッチ３１のエミッタは、抵抗１２よりも抵抗値が大きい抵抗３３を介して照明負荷１１のカソードと抵抗１２との間に接続される。即ち、半導体スイッチ３１のエミッタは、抵抗３３を介して上記の第１の検出ラインに接続される。
【００３３】
オペアンプ３４の出力端子は、半導体スイッチ３１のベースに接続される。オペアンプ３４は、一対の入力端子の電圧の差分に応じて半導体スイッチ３１のコレクタ−エミッタ間の導通を制御する。オペアンプ３４の一方の入力端子は、ＲＣフィルタ３５の出力端子に接続される。オペアンプ３４の他方の入力端子は、半導体スイッチ３１のエミッタと抵抗３３との接続点に接続される。
【００３４】
ＲＣフィルタ３５は、演算部２６からの制御信号に応じた電圧をオペアンプ３４の入力端子の一方に印加する。ＲＣフィルタ３５は、演算部２６に接続される入力端子と、オペアンプ３４の一方の入力端子に接続される出力端子と、を備える。例えば演算部２６からの制御信号が電圧パルスである場合、ＲＣフィルタ３５は、入力端子から入力された電圧パルスを平滑化してオペアンプ３４の一方の入力端子に印加する。
【００３５】
上記の構成を備える分流回路２７は、演算部２６から指示された電圧と、抵抗３３の電圧と、の差分に応じて半導体スイッチ３１のオンオフを制御することにより、コンバータ回路２３と照明負荷１１のアノードとの間からＩＦ２を引きこむ。
【００３６】
次に、演算部２６により調光度−電流特性の検出について説明する。
【００３７】
演算部２６は、上記のように点灯装置２に装着された照明１の特性を検出する。例えば、演算部２６は、ある調光度に応じた電圧をコンバータ回路２３から照明１に印加した際の抵抗２５の電位と、抵抗２５の抵抗値と、調光度と、に基づいて、調光度に対する照明負荷１１を流れる電流の電流値の関係を検出する。具体的には、演算部２６は、抵抗２５の電位を抵抗２５の抵抗値で割ることにより、調光度に応じたＩＦ３の電流値を算出する。これにより、演算部２６は、ある調光度に応じた輝度で照明１の照明負荷１１を発光させる為のＩＦ３の電流値を算出することが可能になる。
【００３８】
演算部２６は、上記した照明１の特性の検出を、照明１がコンバータ回路２３に接続された場合、照明１の特性の検出を指示する信号（例えばリセット信号）が外部装置から入力された場合、コンバータ回路２３の動作がオンされた場合、またはコンバータ回路２３への商用電源からの電力の供給が例えば主電源スイッチの操作などによってオンされた場合、または定期的に実行する。
【００３９】
調光度が所定の値未満である深調光を行う場合、照明１を流れる電流が微小になる。この為、照明１に印加される電圧が微小になる為、照明１に印加される電圧を検出する為の回路は、ノイズの影響を受けやすい。この為、点灯装置２が安定して照明１を動作させる為には、コンバータ回路２３から所定の電流値以上のＩＦ１が出力されている必要がある。演算部２６は、点灯装置２が安定して照明１を動作させる為に必要なＩＦ１の安定電流値ＩＦａ（以下ＩＦａと称する）に対応する閾値調光度Ｍａ（以下Ｍａと称する）を算出する。ＩＦａは、例えばコンバータ回路２３の特性、点灯装置２のノイズ耐性、及び装着される照明１の抵抗値などによって決まる規定値である。Ｍａは、例えば１〜５％程度である。演算部２６は、上記のように検出した照明１の調光度−電流特性に基づいて、ＩＦａに対応するＭａを算出する。演算部２６は、調光度−電流特性、及びＭａをメモリに保持する。
【００４０】
次に、演算部２６による調光度に応じた照明１の照明負荷１１の輝度の調光について説明する。なお、本実施例に係る点灯装置２に装着可能な照明１は、照明負荷１１と抵抗１２との抵抗値の合計が同じであるとして説明する。即ち、コンバータ回路２３からある調光度に応じた電圧を照明１に対して印加した場合に、照明１の照明負荷１１が異なる調光度−電流特性を持つものであっても抵抗２５に印加される電圧が一定になるように照明１の照明負荷１１と抵抗１２とが構成されている。
【００４１】
演算部２６は、入力された調光信号が示す調光度に応じたＩＦ３の電流値を調光度−電流特性に基づいて算出する。演算部２６は、既知である照明１の抵抗値と、算出したＩＦ３の電流値と、に基づいて、電流値のＩＦ３を照明負荷１１に流す為のコンバータ回路２３の出力電圧の電圧値を算出する。具体的には、演算部２６は、調光度に基づいて決定した電流値のＩＦ３を抵抗１２に流す為の電圧値を算出する。演算部２６は、算出した電圧値の電圧を制御信号として制御部２４に入力する。例えば、上記のように制御部２４がオペアンプを備える構成である場合、演算部２６は、制御部２４のオペアンプの一方の端子に算出した電圧値の電圧を印加する。これにより、演算部２６は、調光度に応じた電流値のＩＦ３を照明負荷１１に流す為の電圧を出力するように制御部２４によってコンバータ回路２３を制御させることができる。
【００４２】
図２は、調光度に応じたＩＦ１の電流値について説明する為の説明図である。図３は、調光度に応じたＩＦ２の電流値について説明する為の説明図である。
【００４３】
演算部２６は、受信した調光信号が示す調光度が、閾値としてのＭａ以上であるかＭａ未満（即ちＭａよりも小さい）かを判定する。演算部２６は、調光信号の調光度がＭａよりも小さい場合、Ｍａに対応した電流値がＩＦａのＩＦ１をコンバータ回路２３が出力するように制御部２４を制御し、ＩＦ１からＩＦ２を引きこむように分流回路２７を制御する。即ち、調光度がＭａよりも小さい場合には、ＩＦ１の電流値は、調光度Ｍａに応じた電流値であるＩＦａで一定の電流値になる。演算部２６は、ＩＦ１の電流値からＩＦ２の電流値を減算した結果が調光度に応じた電流値になるように制御部２４及び分流回路２７を制御する。
【００４４】
また、調光度がＭａ以上である場合には、ＩＦ１の電流値は、調光度に応じた電流値になる。調光度がＭａ以上である場合、例えば、ＩＦ１の電流値は、調光度に比例した値になる。
【００４５】
即ち、演算部２６は、調光度がＭａよりも小さい場合にコンバータ回路２３が出力するＩＦ１の電流値を調光度がＭａに応じた電流値に制御し、調光度がＭａよりも大きい場合にコンバータ回路２３が出力するＩＦ１の電流値を調光度に応じた電流値に制御する。
【００４６】
図３に示すように、調光度がＭａよりも小さい場合には、ＩＦ２の電流値は、Ｍａに応じた電流値ＩＦａから調光度に応じた電流値を減算した値になる。調光度がＭａ以上である場合には、ＩＦ２の電流値は０［Ａ］になる。
【００４７】
演算部２６は、調光度がＭａよりも小さい場合、上記のように決定したＩＦ２の電流値に基づいて、分流回路２７の抵抗３３に印加される電圧の電圧値を制御することにより、ＩＦ２の電流値となるように制御する。具体的には、まず演算部２６は、決定したＩＦ２の電流値と、抵抗３３の抵抗値とを積算することにより算出される電圧値の電圧を分流回路２７のオペアンプ３４に入力する為の制御信号を生成する。
【００４８】
例えば、演算部２６は算出した電圧値に応じたデューティ比の電圧パルスを制御信号としてＲＣフィルタ３５に入力する。これにより、ＩＦ２の電流値と抵抗３３の抵抗値との積算結果に応じた電圧値の電圧がオペアンプ３４の一方の端子に入力される。オペアンプ３４は、ＲＣフィルタ３５から入力された電圧と抵抗３３に印加される電圧とが等しくなるように半導体スイッチ３１のオンオフを制御する。この結果、演算部２６は、ＩＦ２の電流値を上記のように決定した電流値になるように分流回路２７を制御する。
【００４９】
上記したように、点灯装置２は、着脱可能な照明１が点灯装置２と接続される場合に照明１の照明負荷１１及び抵抗１２と直列に接続される抵抗２５を備える。点灯装置２は、ある調光度に応じた電圧をコンバータ回路２３から出力した場合に抵抗２５に印加される電圧に基づいて、照明１を流れるＩＦ３の調光度に応じた電流値を示す調光度−電流特性を検出することができる。
【００５０】
さらに、点灯装置２は、検出した特性に基づいて、調光度に応じたＩＦ３の電流値を算出することにより、点灯装置２に接続された照明１を調光度に応じた電流値で点灯させることができる。
【００５１】
またさらに、点灯装置２は、検出した特性に基づいて、コンバータ回路２３が安定して動作する為の安定電流値ＩＦａに対応する調光度Ｍａを算出し、調光度がＭａ以上である場合に調光度に応じた電流値のＩＦ１をコンバータ回路２３から出力し、調光度がＭａ未満である場合に電流値がＩＦａのＩＦ１をコンバータ回路２３から出力し且つ調光度に応じた電流値をＩＦａから減算した値のＩＦ２をＩＦ１から分流回路２７によって引きこむ。この構成によると、分流回路２７が照明１の照明負荷１１と並列に接続された抵抗３３を備える為、点灯装置２は、分流を行わない場合に比べて大きい電圧でＩＦ３の電流値を細かく制御することができる。この結果、ノイズの影響の抑制を実現することができる。
【００５２】
なお、上記の第１の実施形態では、演算部２６は、抵抗２５に印加される電位と、抵抗２５の抵抗値と、調光度と、に基づいて照明１の調光度−電流特性を検出する構成として説明したがこの構成に限定されない。演算部２６は、調光度−電流特性の異なる照明１毎の調光度−電流特性が予め記憶されたメモリを備え、抵抗２５に印加される電位と、抵抗２５の抵抗値と、調光度と、に基づいて、調光の制御に適用する調光度−電流特性を選択する構成であってもよい。
【００５３】
（第２の実施形態）
図４は、第２の実施形態に係る照明システム１００Ａの構成例を示す図である。なお、第１の実施形態と同じ構成には同じ参照符号を付し、詳細な説明を省略する。
【００５４】
照明システム１００Ａは、照明１と、点灯装置２Ａとを備える。点灯装置２Ａは、整流回路２１、ＰＦＣ回路２２、コンバータ回路２３、制御部２４、演算部２６Ａ、分流回路２７、及び定電流回路２８Ａを備える。なお、演算部２６Ａは、定電流回路２８Ａの制御を行う点と、定電流回路２８Ａの出力に基づいて照明１の調光度−電流特性を検出する点が演算部２６と異なる。
【００５５】
定電流回路２８Ａは、一定の電流値の電流（定電流）を出力する回路である。定電流回路２８Ａは、演算部２６Ａの制御に基づいて定電流を出力する。定電流回路２８Ａの出力端子は、照明１の照明負荷１１と抵抗１２との接続点と、制御部１４と、の間に接続された第１の検出ラインに接続される。また、定電流回路２８Ａの出力端子と第１の検出ラインとの接続点と、演算部２６Ａとは、第３の検出ラインを介して接続される。
【００５６】
定電流回路２８Ａから出力された定電流は、第１の検出ラインから抵抗１２を経由してＧＮＤに流れる。この定電流の流れによって、所定の電流値の定電流を抵抗１２に流すための電圧が抵抗１２に印加される。即ち、第１の検出ラインの電位は、定電流回路２８Ａによって抵抗１２への電圧に応じた値に引き上げられる。
【００５７】
演算部２６Ａは、第３の検出ラインの電位、即ち第１の検出ラインの電位と、定電流の電流値と、に基づいて照明１の抵抗１２の抵抗値を算出する。照明１の全体の抵抗値は、上記したように所定の値になるように設定されている為、演算部２６Ａは、抵抗１２の抵抗値を算出することによって照明負荷１１の抵抗値を算出することができる。この結果、演算部２６Ａは、調光度と照明負荷１１を流れる電流との関係、即ち、照明１の調光度−電流特性を検出することができる。なお、この構成によると、第１の実施形態のように特性の検出時に照明負荷１１に電流が流れない為、ユーザの意図しない点灯を行わずに照明１の特性を検出することができる。
【００５８】
この構成によっても、演算部２６Ａは、安定電流値ＩＦａに対応する調光度Ｍａを算出し、調光度−電流特性、及びＭａをメモリに保持することにより、点灯装置２に接続された照明１を適切に制御することができる。これにより、演算部２６Ａは、ある調光度に応じた輝度で照明１の照明負荷１１を発光させる為のＩＦ３の電流値を算出することが可能になる。
【００５９】
演算部２６Ａは、上記した照明１の特性の検出を、照明１がコンバータ回路２３に接続された場合、照明１の特性の検出を指示する信号（例えばリセット信号）が外部装置から入力された場合、またはコンバータ回路２３への商用電源からの電力の供給が例えば主電源スイッチの操作などによってオンされた場合、または定期的に実行する。
【００６０】
また、演算部２６Ａは、上記した照明１の特性の検出を行う場合、定電流回路２８Ａから印加される電圧によって照明１の照明負荷１１に逆方向の電流が流れることを防ぐ為に、コンバータ回路２３から所定の電圧を印加することによって、照明負荷１１に印加される逆方向の電圧を打ち消す構成であってもよい。このような構成によると、照明１の照明負荷１１に逆方向の電流が流れることによって照明負荷１１が破壊されることを防ぐことができる。
【００６１】
なお、上記の第２の実施形態では、演算部２６Ａは、定電流回路２８Ａからの定電流の電流値と、照明１の抵抗１２に印加される電圧と、に基づいて照明１の調光度−電流特性を検出する構成として説明したがこの構成に限定されない。演算部２６Ａは、調光度−電流特性の異なる照明１毎の調光度−電流特性が予め記憶されたメモリを備え、定電流回路２８Ａからの定電流の電流値と、照明１の抵抗１２に印加される電圧と、に基づいて、調光の制御に適用する調光度−電流特性を選択する構成であってもよい。
【００６２】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００６３】
１…照明、２…点灯装置、１１…照明負荷、１２…抵抗、１４…制御部、２１…整流回路、２２…ＰＦＣ回路、２３…コンバータ回路、２４…制御部、２５…抵抗、２６…演算部、２７…分流回路、２８Ａ…定電流回路、３１…半導体スイッチ、３２…抵抗、３３…抵抗、３４…オペアンプ、３５…ＲＣフィルタ、１００…照明システム。
【図１】
2017062966.tif 000003
【図２】
2017062966.tif 000004
【図３】
2017062966.tif 000005
【図４】
2017062966.tif 000006